(57)【要約】【課題】車両のコストを増加させずに一定距離以内にある充電装置の予約を行えるようにすることである。【解決手段】  センターサーバ１１から周辺の充電スタンドの利用状況を受信し、受信した周辺の充電スタンドの利用状況を示す情報を表示部に表示する。ユーザは、周辺の充電スタンドの利用状況を確認して周辺の充電スタンドの予約を行う。【選択図】図４
2011248514.tif 000002
【特許請求の範囲】
【請求項１】
一定距離以内にある充電装置の位置を示す情報と利用状況を示す情報をサーバ装置から取得する予約情報取得手段と、
前記予約情報取得手段により取得した一定距離以内にある前記充電装置の位置を示す前記情報と利用状況を示す前記情報を表示する表示手段と、
前記表示手段に表示される一定距離以内にある前記充電装置の内で所望の充電装置の充電の予約を行う入力手段と、
前記入力手段から入力された予約情報をサーバ装置に送信する送信手段とを備える車両の充電装置。
【請求項２】
前記予約情報取得手段は、一定距離以内にある前記充電装置の位置を示す前記情報として住所情報を取得し、利用状況を示す前記情報として予約開始日時と予約終了日時とを取得し、
前記表示手段は、一定距離以内にある前記充電装置の住所情報と予約開始日時と予約終了日時とを表示する請求項１記載の車両の充電装置。
【発明の詳細な説明】
【技術分野】
【０００１】
電気自動車、ハイブリッドカー等の充電装置に関する。
【背景技術】
【０００２】
プラグインハイブリッド自動車、電気自動車が実用化され、それらの車両を充電する充電スタンド等の設備が設けられてきている。
電気自動車等のバッテリの充電には時間がかかることから、多数の車両の充電を効率良く行うためには充電スタンドの予約が必要となる。
【０００３】
特許文献１には、電気自動車の現在位置を検出し、現在位置の周辺に存在する充電スタンドを抽出し、抽出した充電スタンドとその充電スタンドに設置されている充電器の利用可能情報を提供することが記載されている。これにより、目的地に到着してから速やかに充電を開始できる充電スタンドに関する情報を提供することができる。
【先行技術文献】
【特許文献】
【０００４】
【特許文献１】特開２００３−２６２５２５号公報
【発明の概要】
【発明が解決しようとする課題】
【０００５】
特許文献１の発明では、車両が現在位置を検出する位置検出手段と現在位置の周辺の充電スタンドを抽出する手段を備える必要があり、車両のコストが高くなるという問題点がある。
【０００６】
本発明の課題は、車両のコストを増加させずに一定距離以内にある充電装置の予約を行えるようにすることである。
【課題を解決するための手段】
【０００７】
本発明の車両の充電装置は、一定距離以内にある充電装置の位置を示す情報と利用状況を示す情報をサーバ装置から取得する予約情報取得手段と、前記予約情報取得手段により取得した一定距離以内にある前記充電装置の位置を示す前記情報と利用状況を示す前記情報を表示する表示手段と、前記表示手段に表示される一定距離以内にある前記充電装置の内で所望の充電装置の充電の予約を行う入力手段と、前記入力手段から入力された予約情報をサーバ装置に送信する送信手段とを備える車両の充電装置。
【０００８】
このような構成を有することで、充電装置を利用して一定距離以内にある他の充電装置の利用状況を確認して利用可能な充電装置を予約することができる。
上記の充電装置において、前記予約情報取得手段は、一定距離以内にある前記充電装置の位置を示す前記情報として住所情報を取得し、利用状況を示す前記情報として予約開始日時と予約終了日時とを取得し、前記表示手段は、一定距離以内にある前記充電装置の住所情報と予約開始日時と予約終了日時とを表示する。
【０００９】
このような構成を有することで、ユーザは利用しようとした充電装置の表示手段で、一定距離以内にある充電装置の住所とその予約時刻を確認して、空いている充電装置の予約を行うことができる。
【発明の効果】
【００１０】
本発明によれば、利用しようとした充電装置が使用できない場合でも、一定距離以内にある他の充電装置の利用状況を確認して利用可能な充電装置を予約することができる。
【図面の簡単な説明】
【００１１】
【図１】実施の形態の充電予約システムの構成を示す図である。
【図２】充電スタンドとセンターサーバの構成を示す図である。
【図３】予約情報テーブルの構成を示す図である。
【図４】充電スタンドの動作を示すフローチャートである。
【図５】周辺の充電スタンドを選択して予約する場合の動作説明図である。
【図６】表示部に表示される予約情報の一例を示す図である。
【発明を実施するための形態】
【００１２】
図１は、実施の形態の車両の充電予約システムの構成を示す図である。充電予約システムは、センターサーバ１１と、異なる場所に設置されている複数の充電スタンド１３−１〜１３−９９で構成されている。
【００１３】
センターサーバ１１は、無線基地局１２を介して複数の充電スタンド１３−１〜１３−９９と無線通信を行い、充電スタンド１３−１〜１３−９９の予約情報を管理する。
無線基地局１２はアンテナ１５を介して複数の充電スタンド１３−１〜１３−９９との間で無線信号を送受信する。
【００１４】
充電スタンド１３−１〜１３−９９（充電装置に対応する）は、無線基地局１２との間で無線通信を行うためのアンテナ１４−１〜１４−９９を有する。各充電スタンド１３−１〜１３−９９には固有のＩＤが与えられている。以下の説明では、各充電スタンド１３−１〜１３−９９が、それぞれ１台の車両を充電する機能を有する場合について説明するが、車両の充電を行う充電器を別に設け、充電スタンド１３−１〜１３−９９が複数の充電器の予約情報をセンターサーバ１１に送信するようにしても良い。
【００１５】
図２（Ａ）は充電スタンド１３の構成を示す図であり、図２（Ｂ）はセンターサーバ１１の構成を示す図である。以下、充電スタンド１３−１〜１３−９９の内の任意の1つ又は全体を指して充電スタンド１３と呼ぶ。
【００１６】
図２（Ａ）に示すように、充電スタンド１３は、無線通信部２１と、ＩＣカードリーダ制御部２２と、ユーザインターフェイス（ＵＩ）部２３と、予約情報一時保管部２４と、充電制御部２５とを有する。
【００１７】
無線通信部２１は、アンテナ１４を介して予約情報をセンターサーバ１１に送信すると共に、センターサーバ１１から自装置及び他の充電スタンド１３の予約情報を受信する。
ＩＣカードリーダ制御部２２はＩＣカードリーダを有する。ＩＣカードリーダ制御部２２は、非接触でＩＣカードの読み取りを行い、読み取ったＩＣカード情報を無線通信部２１を介してセンターサーバ１１に送信する。
【００１８】
センターサーバ１１は、受信した充電スタンド１３を特定する充電スタンドＩＤとＩＣカード情報に含まれるユーザＩＤとに基づいて、ユーザＩＤで指定される人が充電スタンド１３の予約を行った本人か否かを判定し、判定結果を充電スタンド１３に送信する。これにより、ＩＣカードの所有者が予約を行った本人か否かを確認することができる。
【００１９】
ユーザインターフェイス部２３は表示部と入力部を有する。入力部には、自装置及び周辺の他の充電スタンド１３の利用状況を表示させるための利用状況表示ボタン、充電時間を入力するキー等が設けられている。
【００２０】
この利用状況表示ボタンを操作することで、周辺の充電スタンド１３の利用状況を表示部に表示させて、現在利用可能な充電スタンドを探すことができる。表示部と入力部は、例えば、タッチパネル式のキーを表示する表示部２６で実現できる。この表示部２６には、タッチパネルのキーの１つとして利用状況表示ボタンが表示される。
【００２１】
予約情報一時保管部２４は、センターサーバ１１から取得した周辺の充電スタンド１３の位置と予約時刻（現在の利用状況も含む）を一時記憶する記憶部である。予約情報一時保管部２４は、例えば、メモリ等で実現できる。
【００２２】
充電制御部２５は、車両の充電を制御するものであり、ユーザにより充電操作が行われた場合に、センターサーバ１１に予約した本人か否かを確認し、本人のとき、あるいは充電スタンド１３が予約済みでない場合には車両の充電を開始する。
【００２３】
ＩＣカードリーダ制御部２２、充電制御部２５等の機能は、例えば、図示しないＣＰＵが実行するプログラムにより実現される。
図２（Ｂ）に示すように、センターサーバ１１は、通信部２７と予約情報保管部２８を有する。通信部２７は、一定エリア内にある無線基地局１２−１〜１２−３との間で無線通信を行う。あるいは、インターネット２９を介してセンターサーバ１１と通信を行う。予約情報保管部２８は、複数の充電スタンド１３の予約情報を記憶する。
【００２４】
センターサーバ１１は、充電スタンド１３から予約情報を受信すると、予約情報保管部２８に充電スタンド１３のＩＤコード、住所、充電開始時刻、充電終了時刻等を格納する。
【００２５】
図３は、センターサーバ１１の予約情報保管部２８に保存される予約情報テーブル３１のデータ構成を示す図である。
予約情報テーブル３１は、充電スタンドＩＤと、充電スタンド１３の住所と、位置情報（軽度、緯度）と、予約者のユーザＩＤと、予約スタート時刻（予約開始日時）と、予約終了時刻（予約終了日時）とを対応付けて記憶する記憶領域を有する。以下、これらの記憶領域に記憶される情報を総称して予約情報と呼ぶ。充電スタンド１３の位置を示す情報としては、経度、緯度、住所情報等を用いることができる。
【００２６】
予約情報テーブル３１には、例えば、充電スタンド１３−１の充電スタンドＩＤ「Ｊ０００００１］と対応付けて住所「ＡＡＡ」、位置情報（ｘ１、ｙ１）、予約者のユーザＩＤ「Ｕ０００００１」、予約スタート時刻「日時Ｓ１」、予約終了時刻「日時Ｅ１」が登録されている。
【００２７】
また、各充電スタンド１３で予約なしで充電が開始された場合にも、充電スタンドＩＤと充電予定時間を含む予約情報がセンターサーバ１１に送信され、センターサーバ１１が、充電開始時刻、充電終了時刻を計算し、それらの情報を予約情報テーブル３１に登録する。
【００２８】
センターサーバ１１は、特定の充電スタンド１３から利用状況送信要求を受信すると、要求元の充電スタンド１３の位置情報と予約情報テーブル３１に登録されている他の充電スタンド１３の位置情報から、一定距離以内にある充電スタンド１３を抽出する。そして、抽出した充電スタンド１３の充電スタンドＩＤ、住所情報、予約日時等を要求元の充電スタンド１３に送信する。これにより、要求元の充電スタンド１３は、周辺の充電スタンド１３の利用状況を取得して、利用状況を表示部２６に表示することができる。
【００２９】
図４は、充電スタンド１３の動作を示すフローチャートである。以下の説明では、ＩＣカード情報の読み込みを行った充電スタンドを充電スタンド１３−１、その周辺の充電スタンドを充電スタンド１３−２（周辺の複数の充電スタンドの内の１つ）、任意の充電スタンドを充電スタンド１３として説明する。
【００３０】
車両を充電しようとするユーザがＩＣカードをＩＣカードリーダに近づけると、ＩＣカード情報の読み込みが行われる（Ｓ１１）。
ＩＣカードリーダ制御部２２は、読み取ったＩＣカード情報と自装置の充電スタンドＩＤをセンターサーバ１１に送信する（Ｓ１２）。ＩＣカード情報にはユーザを特定するユーザＩＤ等が含まれている。なお、ユーザを特定するための情報は、ＩＣカード情報に限らず、例えば、ユーザがユーザＩＤを手動で入力しても良い。
【００３１】
次に、現在、ユーザにより操作されている充電スタンド１３−１が、センターサーバ１１から自装置の予約情報を取得する（Ｓ１３）。
センターサーバ１１は、充電スタンド１３−１からＩＣカード情報と充電スタンドＩＤを受信すると、受信した充電スタンドＩＤとＩＣカード情報に含まれるユーザＩＤをキーにして予約情報保管部２８に記憶されている予約情報を検索する。そして、該当するユーザの予約情報が存在するか否か、その充電スタンド１３−１が他のユーザにより予約されているか否かを送信元の充電スタンド１３−１に送信する。
【００３２】
充電スタンド１３−１は、センターサーバ１１から受信する情報に基づいて予約状況を判別する（Ｓ１４）。ステップＳ１４の処理では、ＩＣカードをタッチしたユーザが予約済みか（予約者本人か）、誰も予約していないか、それとも他のユーザが予約済みの何れかを判別する。
【００３３】
ステップＳ１４において、ＩＣカードをタッチしたユーザが予約済みと判定されたときには、ステップＳ１５に進み、車両の充電を開始する。
ステップＳ１４において、充電スタンド１３−１が予約されていないと判定されたときには、ステップＳ１６に進み、ユーザインターフェイス部２３からユーザが入力した充電利用時間を取得する。ステップＳ１４において、充電スタンド１３−１が予約されていないと判定された場合には、例えば、充電スタンド１３−１は表示部２６に充電可能であることを表示してユーザに充電利用時間の入力を促す。
【００３４】
充電スタンド１３−１は、ユーザが入力した充電利用時間をセンターサーバ１１に送信する（Ｓ１７）。センターサーバ１１は、充電スタンド１３−１から充電利用時間を受信すると、予約情報テーブル３１を参照して、現在時刻からユーザが希望する充電利用時間まで間に他のユーザの予約があるか否かを調べる。他のユーザの予約が存在しない場合には、現在時刻と充電利用時間から充電終了時刻を算出し、充電スタンドＩＤ、充電スタンドの住所、予約者ＩＤ、予約スタート時刻、予約終了時刻を予約情報テーブル３１に登録する。その後、予約完了通知を充電スタンド１３−１に送信する。
【００３５】
センターサーバ１１から予約完了通知を受信すると（Ｓ１８）、充電スタンド１３−１は車両の充電を開始する。
他方、ステップＳ１４において、センターサーバ１１から取得した予約情報から他のユーザが予約していると判断した場合には、ステップＳ２０に進み、ユーザインターフェイス部２３からユーザが指定した充電利用時間を取得する。
【００３６】
次に、充電スタンド利用状況表示ボタンの操作の有無を判別する（Ｓ２１）。充電スタンド利用状況表示ボタンが操作された場合には（Ｓ２１，入力あり）、ステップＳ２２に進み、周辺（一定距離以内）の充電スタンド１３の利用状況送信要求をセンターサーバ１１に送信する。
【００３７】
センターサーバ１１は、特定の充電スタンド１３−１から周辺の充電スタンド１３の利用状況送信要求を受信すると、予約情報テーブル３１を参照して要求元の充電スタンド１３−１の位置情報を取得する。そして、その位置情報に基づいて一定距離以内にある充電スタンド１３−２を抽出し、抽出した周辺の充電スタンド１３−２の予約情報を予約情報テーブル３１から取得し、取得した予約情報を要求元の充電スタンド１３−１に送信する。
【００３８】
充電スタンド１３−１は、センターサーバ１１から周辺の充電スタンド１３−２の利用状況を示す予約情報を受信すると（Ｓ２３）、受信した予約情報を予約情報一時保管部２４に格納し、その予約情報をユーザインターフェイス部２３に表示する（Ｓ２４）。ステップＳ２４の処理では、例えば、周辺にある複数の充電スタンド１３の充電スタンドＩＤ、住所、予約時刻が一覧表示される。このとき、予約が無い充電スタンド１３は、充電スタンドＩＤと住所が表示され、予約時刻の欄は空白で表示される。また、周辺の充電スタンドの利用状況を一覧表示する際に、充電スタンドの位置を地図上に表示しても良い。
【００３９】
次に、ユーザが予約の為の入力操作を行ったか否かを判別する（Ｓ２５）。予約のための入力操作が行われなったかっときには（Ｓ２５、入力なし）、そこで処理を終了する。
他方、予約のための入力操作が行われたときには（Ｓ２５、入力あり）、ステップＳ２６に進み、ユーザインターフェイス部２３から予約対象の充電スタンド１３−２の充電スタンドＩＤ、充電利用時間等を取得してセンターサーバ１１に送信する。ステップＳ２５及びＳ２６の処理では、例えば、ユーザが一覧表示された周辺の充電スタンド１３の中から特定の充電スタンド１３−２を選択して充電利用時間を入力すると、入力された充電スタンドＩＤと充電利用時間が充電スタンド１３−１からセンターサーバ１１に送信される。
【００４０】
上記の処理により、ユーザは、利用しようとした充電スタンド１３−１が使用できない場合でも、その充電スタンド１３−１を利用して周辺の充電スタンド１３−２の充電予約を行うことができる。
【００４１】
センターサーバ１１は、充電スタンド１３−１から予約を希望する充電スタンド１３−２の充電スタンドＩＤと利用時間とユーザＩＤ等を受信すると、予約対象の充電スタンド１３−２の予約情報を確認し、空きがある場合には、それらのデータを関連付けて予約情報テーブル３１に登録する。その後、予約完了通知を充電スタンド１３−１に送信する。
【００４２】
充電スタンド１３−１は、センターサーバ１１から予約完了通知を受信したなら（Ｓ２７）、その結果をユーザに知らせてそこで処理を終了する。
図５は、充電スタンド１３−１とその周辺にある３台の充電スタンド１３−２、１３−９７、１３−９８を示す図である。また、図６は、充電スタンド１３−１の表示部２６に表示される周辺の充電スタンドの予約情報の一例を示す図である。
【００４３】
図５において、円で囲まれた領域は充電スタンド１３−１から一定距離以内の領域を示している。この場合、充電スタンド１３−１の周辺には、充電スタンド１３−２と充電スタンド１３−９７と充電スタンド１３−９８が存在している。
【００４４】
ユーザは、最初に充電スタンド１３−１を利用して車両を充電しようとするが、充電スタンド１３−１が予約済みであった場合には、充電スタンド１３−１の利用状況表示ボタンを操作する。利用状況表示ボタンが操作されると、充電スタンド１３−１は、センターサーバ１１から自装置の周辺の充電スタンド１３の利用状況を示す予約情報を取得し、取得した予約情報を表示部２６に表示する。
【００４５】
図６は充電スタンド１３−１の表示部２６に表示される予約情報の一例を示している。表示部２６には、周辺の充電スタンド１３−２、１３−９７、１３−９８の充電スタンドＩＤと、充電スタンド１３の住所と、予約スタート時刻と、予約終了時刻が一覧表示される。
【００４６】
ユーザは周辺の充電スタンド１３−２、１３−９７、１３−９８の利用状況を確認して所望の充電スタンドを探す。一覧表示された周辺の充電スタンドの中から所望の充電スタンド１３を選択し、ユーザインターフェイス部２３から充電利用時間を入力する。充電利用時間の入力が終了すると、選択した充電スタンド１３の充電スタンドＩＤ、充電利用時間（又は予約時刻）が、充電スタンド１３−１からセンターサーバ１１に送信される。
【００４７】
センターサーバ１１は、予約対象の充電スタンド（例えば、１３−２）の空きを確認した後、受信した予約情報を予約情報テーブル３１の該当する充電スタンド１３−２の充電スタンドＩＤと対応付けて登録する。このとき、該当する充電スタンド１３−２に予約日時とユーザＩＤを通知しても良い。
【００４８】
上述した実施の形態によれば、利用しようとした充電スタンド１３が他の人の予約等により利用できない場合でも、充電スタンド１３の表示部２６にその周辺の充電スタンド１３の利用状況を表示させることができる。そして、その利用状況を見て利用可能な充電スタンド１３の予約を行うことができる。この場合、自分が現在いる充電スタンド（例えば、充電スタンド１３−１）を利用して周辺の他の充電スタンド（例えば、充電スタンド１３−２、１３−９７等）の予約を行うことができるので、車両は位置検出機能及びセンターサーバ１１との通信機能を有する必要が無い。
【符号の説明】
【００４９】
１１    センターサーバ
１２    無線基地局
１３−１〜１３−９９  充電スタンド
２１    無線通信部
２２    ＩＣカードリーダ制御部
２３    ユーザインターフェイス部
２４    予約情報一時保管部
２５    充電制御部
２６    表示部
２７    通信部
２８    予約情報保管部
３１    予約情報テーブル
【図２】
2011248514.tif 000003
【図３】
2011248514.tif 000004
【図４】
2011248514.tif 000005
【図６】
2011248514.tif 000006
【図１】
2011248514.tif 000007
【図５】
2011248514.tif 000008